(57)【要約】      （修正有）【課題】吸収性物品であることが目立ちにくい吸収性物品の包装体を提供する。【解決手段】吸収性物品の包装体１０は、吸収性物品を、横方向に延びる第１折り畳み部及び第２折り畳み部を含む複数の折り畳み部に沿って包装シート２とともに縦方向に折り畳まれて構成される。包装体は、第１折り領域Ｒ１と、第２折り領域Ｒ２と、第３折り領域Ｒ３と、を備え、第１折り領域が、第３折り領域の上に折り畳まれた第２折り領域の上にさらに折り重なるように折り畳まれる。包装シートにおいて、第２折り領域は、第１折り領域と重なる重なり部４２と、第１折り領域と重ならず露出する露出部４１とを備える。包装体の外面の一部を構成する包装シートの第１折り領域及び露出部は、全面が同系色で色濃度が異なる複数の着色域３１〜３４により構成され、第１折り領域における最も色濃度が薄い着色域の面積比率は、露出部における最も色濃度が薄い着色域の面積比率よりも大きい。【選択図】図１
0003232205.tif 000002
【実用新案登録請求の範囲】
【請求項１】
吸収体を備え着用者の前後方向に対応する縦方向及び該縦方向に直交する横方向を有する吸収性物品を、前記横方向に延びる第１折り畳み部及び第２折り畳み部を含む複数の折り畳み部に沿って包装シートとともに前記縦方向に折り畳み、個別に包装した前記吸収性物品の包装体であって、
前記包装シートは、前記縦方向における一端と他端とを有し、
前記包装体は、前記第１折り畳み部によって区画され前記一端を含む第１折り領域と、前記第２折り畳み部によって区画され前記他端側に位置する第２折り領域と、前記第１折り領域と前記第２折り領域の間に位置する第３折り領域と、を備え、前記第１折り領域が、前記第３折り領域の上に折り畳まれた前記第２折り領域の上にさらに折り重なるように折り畳まれ、
前記包装シートにおいて、前記第２折り領域は、前記第１折り領域と重なる重なり部と、前記第１折り領域と重ならず露出する露出部とを備え、
前記包装体の外面の一部を構成する前記包装シートの前記第１折り領域及び前記露出部は、その全面が同系色で色濃度が異なる複数の着色域により構成され、前記第１折り領域における最も色濃度が薄い着色域の面積比率は、前記露出部における前記最も色濃度が薄い着色域の面積比率よりも大きい
吸収性物品の包装体。
【請求項２】
前記第１折り領域の前記縦方向の長さは、前記露出部の前記縦方向の長さよりも長い
請求項１に記載の吸収性物品の包装体。
【請求項３】
前記包装シートにおいて、前記第１折り領域は、前記横方向に帯状に延びる、前記最も色濃度が薄い着色域を含む帯部を有し、
前記帯部は、前記一端からの距離よりも、前記第１折り畳み部からの距離の方が短くなるように配される
請求項１又は２に記載の吸収性物品の包装体。
【請求項４】
前記包装シートは、前記包装体の外面を構成する面全面が前記同系色で色濃度が異なる複数の着色域により構成され、
前記包装シートにおいて、前記第３折り領域は、前記横方向に帯状に延びる、前記最も色濃度が薄い着色域を含む帯部を有する
請求項１〜３のいずれか１項に記載の吸収性物品の包装体。
【請求項５】
前記帯部には、前記最も色濃度が薄い着色域を背景にして、該最も色濃度が薄い着色域よりも濃い色で前記吸収性物品に関する情報が記載される
請求項３又は４に記載の吸収性物品の包装体。
【請求項６】
前記第１折り領域には、前記第１折り領域における最も色濃度が薄い着色域よりも色が濃いタブテープが設けられている
請求項１〜５のいずれか１項に記載の吸収性物品の包装体。
【考案の詳細な説明】
【技術分野】
【０００１】
本考案は、吸収性物品が個別に包装された吸収性物品の包装体に関する。
【背景技術】
【０００２】
生理用ナプキンやおりものシートといった吸収性物品の包装体としては、例えば特許文献１に記載されているように、包装シート等の外装材と吸収性物品とが厚さ方向に重ねられ、長手方向に折り畳まれて個別に包装される形態が知られている。包装体には、デザイン性の向上のため、包装シートの外面に印刷等によって着色剤層が形成されている。
【先行技術文献】
【特許文献】
【０００３】
【特許文献１】特開２０２０−１０３８０９号公報
【考案の概要】
【考案が解決しようとする課題】
【０００４】
外出時に生理用ナプキンやおりものシートを鞄等にいれて持ち運ぶ際、着用者は生理用ナプキンやおりものシートを持っていることを他人に知られたくないと考えることが多い。
このため、生理用ナプキンやおりものシートであることがわかりにくい外観を備える包装体が望まれている。
【０００５】
本考案の課題は、吸収性物品であることが目立ちにくい吸収性物品の包装体に関する。
【課題を解決するための手段】
【０００６】
本考案の一形態に係る吸収性物品の包装体は、吸収性物品を包装シートとともに折り畳み、個別に包装したものである。
上記吸収性物品は、吸収体を備え着用者の前後方向に対応する縦方向及び該縦方向に直交する横方向を有する。
上記吸収性物品の包装体は、上記横方向に延びる第１折り畳み部及び第２折り畳み部を含む複数の折り畳み部に沿って上記包装シートとともに上記縦方向に折り畳まれる。
上記包装シートは、上記縦方向における一端と他端とを有する。
上記包装体は、上記第１折り畳み部によって区画され上記一端を含む第１折り領域と、上記第２折り畳み部によって区画され上記他端側に位置する第２折り領域と、上記第１折り領域と上記第２折り領域の間に位置する第３折り領域と、を備え、上記第１折り領域が、上記第３折り領域の上に折り畳まれた上記第２折り領域の上にさらに折り重なるように折り畳まれる。
上記包装シートにおいて、上記第２折り領域は、上記第１折り領域と重なる重なり部と、上記第１折り領域と重ならず露出する露出部とを備える。
上記包装体の外面の一部を構成する上記包装シートの上記第１折り領域及び上記露出部は、その全面が同系色で色濃度が異なる複数の着色域により構成され、上記第１折り領域における最も色濃度が薄い着色域の面積比率は、上記露出部における上記最も色濃度が薄い着色域の面積比率よりも大きい。
【考案の効果】
【０００７】
以上のように、本考案の吸収性物品の包装体は、吸収性物品であることがわかりにくい外観を備える。
【図面の簡単な説明】
【０００８】
【図１】本考案の一実施形態に係る吸収性物品の包装体の平面図であり、（Ａ）は正面からみた平面図、（Ｂ）は裏面からみた平面図である。
【図２】図１の吸収性物品の包装体を開封し、広げた状態の模式平面図であり、包装シートの内面側に吸収性物品が配置された状態を示す。
【図３】図１の吸収性物品の包装体の一部を構成する包装シートを広げ、第１の面側から見た平面図である。
【考案を実施するための形態】
【０００９】
以下、図面を参照しながら、本考案の実施形態を説明する。
【００１０】
［包装体の全体構成］
図１及び図２に示す吸収体物品の包装体１０は、吸収性物品１と、包装シート２と、を備える。以下、「吸収性物品の包装体」を「包装体」という。
包装体１０は折り畳まれて構成される。包装体１０は、折り畳み形状を維持するための構成としてタブテープＴを備える。包装体１０において、タブテープＴが位置する面を表面１０ａという。表面１０ａの反対側の面であり、タブテープＴが位置しない側の面を裏面１０ｂという。
【００１１】
吸収性物品１は、表面シートと裏面シートとの間に吸収体が配されて構成される。吸収性物品１は、生理用ナプキンとして構成され、以下、ナプキン１と称する。吸収体は、着用者の経血等の液状の排泄物を吸収する機能を有する。
ナプキン１は、着用者の前後方向に対応する縦方向Ｘと、着用者の左右方向に対応し縦方向Ｘに直交する横方向Ｙとを有する。
【００１２】
包装シート２は、包装体１０の外面を形成するシート状の外装材である。図２に示す例では、包装シート２は、縦方向Ｘ及び横方向Ｙに直交する厚み方向から見た平面視において、縦方向Ｘに長い矩形状に構成される。
包装シート２は、第１の面２ａと、第２の面２ｂを備える。第１の面２ａは、包装体１０としたときに外側に位置し、包装体１０の外面を形成する面である。第２の面２ｂは、包装体１０としたときに内側に位置する面である。包装体１０において、ナプキン１は包装シート２の第２の面２ｂ上に配置される。第１の面２ａには、着色剤が印刷されてなる着色部が形成されており、第１の面２ａは着色されている。第１の面２ａの着色部については後述する。
包装シート２は、縦方向Ｘにおける一端２１と他端２２とを有し、横方向Ｙにおける一対の側端２３を有する。
包装シート２としては、吸収性物品の包装シートとして従来使用されている各種のものを特に制限なく用いることができ、例えば、樹脂製フィルム、不織布、紙等を用いることができる。このような包装シート２は、一般にナプキン１を構成する吸収体よりも剛性が低く、ナプキンに沿った形状に容易に折り曲げられることが可能である。
【００１３】
以下、ナプキンが包装シートとともに折り畳まれる過程について説明する。
まず、図２に示すように、ナプキン１は、矩形状の包装シート２の第２の面２ｂ上であって、包装シート２の略中央に、ずれ止め材を介して剥離可能に配置される。これにより、ナプキン１と包装シート２との積層体を得る。
【００１４】
ここでは、包装体１０が横方向Ｙに延びる３本の線状の折り畳み部Ｌ１〜Ｌ３によって縦方向Ｘに折り畳まれる例をあげる。この場合、図２に示すように、包装体１０には、一端２１から他端２２に向かって、順に、第１折り畳み部Ｌ１、第２折り畳み部Ｌ２、及び第３折り畳み部Ｌ３が配置される。第１折り畳み部Ｌ１、第２折り畳み部Ｌ２及び第３折り畳み部Ｌ３は、包装体１０として折り畳む際の折り軸となる。
【００１５】
包装体１０及び包装シート２において、図２及び３に示すように、第１折り畳み部Ｌ１によって区画された、一端２１から第１折り畳み部Ｌ１までの領域を、第１折り領域Ｒ１とする。包装体１０及び包装シート２において、第１折り領域Ｒ１は包装シート２の一端２１を含む。
包装体１０及び包装シート２において、第１折り畳み部Ｌ１及び第２折り畳み部Ｌ２によって区画された、第１折り畳み部Ｌ１から第２折り畳み部Ｌ２までの領域を、第３折り領域Ｒ３とする。第３折り領域Ｒ３は、第１折り領域Ｒ１と次に説明する第２折り領域Ｒ２との間に位置する。
包装体１０及び包装シート２において、第２折り畳み部Ｌ２及び第３折り畳み部Ｌ３によって区画された、第２折り畳み部Ｌ２から第３折り畳み部Ｌ３までの領域を、第２折り領域Ｒ２とする。包装体１０及び包装シート２において、第２折り領域Ｒ２は、包装シート２の他端２２側に位置する。
包装体１０及び包装シート２において、第３折り畳み部Ｌ３から他端２２までの領域を、第４折り領域Ｒ４とする。
【００１６】
この包装体１０を折り畳むには、まず、ナプキン１と包装シート２との積層体を、第３折り畳み部Ｌ３を折り軸として第４折り領域Ｒ４を第２折り領域Ｒ２上に折り畳む。次に、第２折り畳み部Ｌ２を折り軸として、折り畳まれた第２折り領域Ｒ２及び第４折り領域Ｒ４を、さらに第３折り領域Ｒ３上に折り重ねる。次に、第１折り畳み部Ｌ１を折り軸として、折り畳まれた第３折り領域Ｒ３、第４折り領域Ｒ４及び第２折り領域Ｒ２上に、第１折り領域Ｒ１を折り重ねる。そして、第１折り領域Ｒ１に固定されたタブテープＴが、第２折り領域Ｒ２の包装シート２に剥離可能に接着される。
これにより、ナプキン１が縦方向Ｘに４つ折りされ、図１に示す包装体１０が形成される。
【００１７】
図１（Ａ）に示すように、包装体１０の表面１０ａにおいて、包装シート２の第２折り領域Ｒ２は、重なり部４２と、露出部４１とを有する。
重なり部４２は、包装シート２の第１折り領域Ｒ１と第２折り領域Ｒ２とが重なる部分であり、包装体１０において、第１折り領域Ｒ１により見えない部分である。
露出部４１は、包装シート２の第１折り領域Ｒ１と重ならない部分であり、包装体１０において露出する部分である。
図１（Ｂ）に示すように、包装体１０の裏面１０ｂは、包装シート２の第３折り領域Ｒ３によって構成される。
【００１８】
さらに、包装体１０は、折り畳み形状を維持するための構成として、タブテープＴと、図示しない側部封止部と、を有する。
側部封止部は、包装体１０において、ナプキン１から横方向Ｙの外方に延出する包装シート２の側端２３付近に形成され、ヒートエンボス加工等の公知の接合方法により接合される。
タブテープＴは、包装シート２の第１折り領域Ｒ１の一端２１付近と、第２折り領域Ｒ２の包装シート２とを止着する。
図２に示すように、タブテープＴは、固定部Ｔ１と、突出部Ｔ２と、を有する。
固定部Ｔ１は、第１折り領域Ｒ１の包装シート２に固定される。固定部Ｔ１は、例えばホットメルト粘着剤等によって一端２１付近に固定される。
突出部Ｔ２は、固定部Ｔ１から第１折り領域Ｒ１の外方へ突出し、第２折り領域Ｒ２の包装シート２に剥離可能に接着される。
タブテープＴ及び側部封止部により包装体１０の形状が維持され、保存時に、意図せず開封してしまうといった問題が抑制される。
【００１９】
［包装シートの着色部の構成］
図３に示すように、包装体１０の外面を構成する包装シート２の第１の面２ａは、その全面に亘って着色部が形成され、着色されている。第１の面２ａは、同系色の互いに色濃度が異なる複数の着色域を有する。本実施形態では、第１の面２ａは、色濃度が互いに異なる４つの着色域である、第１着色域３１、第２着色域３２、第３着色域３３及び第４着色域３４を有する例をあげる。色濃度は、色の濃淡である。
ここでは、色濃度を４段階に変化させた、互いに色濃度が異なる４つの着色域を設ける例をあげるが、互いに色濃度が異なる着色域の数は２以上とすることができる。このように単色ではなく、色濃度をつけた着色構成とすることにより、ナプキン１であることがわかりにくい、ハンカチを想起させるようなデザイン性を有する外観とすることができる。また、包装シート２は、その全面が同系色で着色されているので、全体的に統一感のある、一見してナプキン１であることがわかりにくい外観となっている。
【００２０】
ここで、同系色とは、同系統の色のことをいい、２４色相からなる色相環において隣り合う３つの色の範囲にある色をいう。
また、色濃度の違いは、ＣＩＥ−Ｌ＊ａ＊ｂ＊表色系におけるＬ＊値の違いとしてあらわされ得る。Ｌ＊値は明るさを示す。Ｌ＊値が高いほど明るく、色の濃度が薄い。Ｌ＊値が低いほど暗く、色の濃度が濃い。
本明細書において、ＣＩＥ−Ｌ＊ａ＊ｂ＊表色系におけるＬ＊値は色差計によって測定できる。例えば日本電色工業（株）のハンディ型分光色差計ＮＦ３３３（商品名）を用い、光源Ｃ、視野角２°の測定条件で、シートの反射光を測定して求めることができる。このとき、背景板としてＬ＊値が９５以上の白色板を用いて測定することが好ましい。
【００２１】
第１着色域３１は、最も色濃度が濃い領域である。
第２着色域３２及び第３着色域３３は、中間の色濃度の領域である。第２着色域３２は、第３着色域３３よりも色濃度が濃い領域である。
第４着色域３４は、最も色濃度が薄い領域である。
色の濃度が薄くなるほど、すなわちＬ＊値が高くなるほど、淡い色となり、白っぽい色となる。
【００２２】
色味は特に限定されない。例えば、ピンク、水色、オレンジ、緑色等、所望の色を採用することができる。
包装シート２において、全体的に色濃度を薄くし淡い色で着色することにより、爽やかでかつ柔らかい印象を与えることができる。これにより、ナプキン１であることがわかりにくい外観とすることができるとともに、使用前から廃棄時までの生理中の憂鬱な気分を和らげることができる。例えば、いずれの着色域の色においてもＬ＊値を７０以上とすることにより、全体的に淡い色の着色となる。
【００２３】
図３に示す例では、包装シート２の第１の面２ａのほぼ全域にわたって、曲線または直線で区分けされた領域それぞれに第２着色域３２及び第３着色域３３が設けられ、全体的に最も色濃度が薄い色で着色された帯状に視認される２つの帯部４３が設けられる。
図１及び図３において、包装体１０としたときに表面１０ａ側に位置する帯部に符号４３Ｆを付し、裏面１０ｂ側に位置する帯部には符号４３Ｂを付すが、特に両者を区別する必要がない場合は帯部４３という。
帯部４３Ｆは第１折り領域Ｒ１に位置する。帯部４３Ｂは第３折り領域Ｒ３に位置する。帯部４３は、主に、最も色濃度が薄い第４着色域３４を含んで構成される。
帯部４３は、一方の側端２３から他方の側端２３まで延びる、すなわち横方向Ｙに延びる帯状である。帯部４３は横方向Ｙにほぼ平行に形成される。
【００２４】
第１折り領域Ｒ１及び第３折り領域Ｒ３には、枝葉を有するバラ柄４４が印刷されている。バラ柄４４は、主に帯部４３の一部に設けられ、帯部４３を跨いで縦方向Ｘに延びている。
バラ柄４４の花びらの輪郭部分、枝、葉は最も色濃度の濃い第１着色域３１で構成される。
バラ柄４４の主な部分は帯部４３上に位置する。帯部４３は、最も色濃度が薄い第４着色域３４を背景にし、第４着色域３４よりも色が濃い着色域により構成されたバラ柄４４が記載された構成となっている。
【００２５】
バラ柄４４は、ナプキン１に関する情報を示す。本実施形態では、ナプキン１にはバラの香りがついており、バラ柄４４は賦香タイプのナプキン１であることを示す。
バラ柄４４は、最も色濃度が薄い第４着色域３４を背景にし、最も色濃度が薄い第４着色域３４よりも濃い色で構成されているので、着用者に対しナプキン１に関する情報を視覚的に提示することが可能である。着用者は、バラ柄４４を見ることによって、賦香タイプのナプキン１であることを直感的に把握することができる。
ここでは、賦香タイプのナプキンであることをバラ柄の図柄によって示す例をあげたが、文字や記号等で示してもよい。
【００２６】
ナプキン１に関する情報としては、上記賦香情報の他、製品情報、商品名、ロゴ、吸収量情報、ナプキンの縦方向の長さ情報、昼用か夜用かといった用途情報、ウイング部の有無情報等がある。吸収量情報やナプキンの縦方向の長さ情報は、例えば数字で示すことができる。製品情報は、例えばNapkin等の文字で示すことができる。用途情報やウイング部の有無情報は、例えばNightなどの文字、図柄、記号等で示すことができる。
帯部４３において、最も色濃度が薄い第４着色域３４を背景にし、該第４着色域３４よりも濃い色で、ナプキン１に関する情報が記載されることにより、視覚的にナプキン１に関する情報を着用者に対し提示することができる。
これにより、内装パックから包装体１０を取り出し、包装体１０の状態で保存する場合において、製品の種類を間違えるということが防止される。例えば、夜用のナプキンを使用しようとしている着用者が、誤って昼用のナプキンを開封してしまうといった、製品の取違いの発生が抑制される。
【００２７】
また、包装シート２に加え、タブテープＴにナプキン１に関する情報が記載されていてもよい。これにより、上述の製品の取違いの発生等がより抑制され得る。
例えば、タブテープＴに、ナプキン１がウイング付きのナプキンかウイング無しのナプキンであるかを示す図柄、文字や記号等が記載されていてもよい。包装体１０の開封では、タブテープＴをつまんで開封が行われるため、タブテープＴに記載される情報は着用者の目につきやすい傾向にある。このため、例えば、ウイングありのナプキンを使用しようとした着用者が、誤ってウイングなしのナプキンを開封してしまうといった、製品の取違いの発生が抑制される。
【００２８】
［包装体の着色部の構成］
次に、包装体１０の外観について図１を用いて説明する。
図１（Ａ）に示すように、包装体１０の表面１０ａには、タブテープＴが位置する。表面１０ａは、包装シート２の第１の面２ａにおける第１折り領域Ｒ１と第２折り領域Ｒ２の露出部４１とから構成される。図１（Ｂ）に示すように、包装体１０の裏面１０ｂは、包装シート２の第１の面２ａにおける第３折り領域Ｒ３から構成される。
包装体１０は、表面１０ａ及び裏面１０ｂにおいて、同系色で色濃度が異なる複数の着色域３１〜３４により構成される。
【００２９】
表面１０ａにおいて、包装シート２の第１折り領域Ｒ１における最も色濃度が薄い領域（本実施形態においては第４着色域３４）の面積比率は、露出部４１における最も色濃度が薄い領域（本実施形態においては第４着色域３４）の面積比率よりも大きくなっている。すなわち、第１折り領域Ｒ１は、露出部４１よりも色の薄い領域の割合が大きくなっている。
これにより、ナプキン１であることがわかりにくい外観とすることができ、例えば包装体１０を入れた鞄をあけたときにナプキン１が目立ちにくい。更に、包装体１０は同系色の色濃度が異なる複数の色により着色されているので、全体的に統一感のある外観を有し、不自然さを感じにくく、目立ちにくい外観とすることができる。従って、他人からナプキン１を持っていることを容易に知られないようにすることができる。
ここで、包装体１０を鞄に収納する際、異物混入抑制等の観点から、包装体１０の表面１０ａが鞄の開封口側にくるように置かれることが多い。このような場合、表面１０ａを上記構成とすることにより、鞄をあけたときに、包装体１０を目立ちにくくすることができる。
【００３０】
図１（Ａ）及び（Ｂ）に示すように、包装体１０は、縦方向Ｘにおける一端１１と他端１２を有する。一端１１は第１折り畳み部Ｌ１に対応し、他端１２は第２折り畳み部Ｌ２に対応する。
【００３１】
図１（Ａ）に示すように、包装体１０の表面１０ａにおいて、包装シート２の第１折り領域Ｒ１には帯部４３Ｆが設けられている。帯部４３Ｆは、全体的に最も薄い色で着色された帯状に視認される。これにより、デザイン性のあるハンカチのような外観とすることができ、よりナプキン１であることがわかりにくい外観とすることができる。
【００３２】
第１折り領域Ｒ１に位置する帯部４３Ｆは、包装シート２の一端２１からの距離よりも、第１折り畳み部Ｌ１（包装体１０の一端１１）からの距離の方が短くなるように配されてもよい。
これにより、包装体１０の表面１０ａにおいて、帯部４３Ｆが縦方向Ｘにおいて中央よりも外方側に位置することになり、よりナプキン１であることがわかりにくい外観とすることができる。
【００３３】
図１（Ｂ）に示すように、裏面１０ｂにおいても帯部４３Ｂが設けられている。
図３において、第１折り畳み部Ｌ１と帯部４３Ｆとの距離と、第１折り畳み部Ｌ１と帯部４３Ｂとの距離は略同じである。これにより、図１（Ａ）及び（Ｂ）に示すように、包装体１０において、帯部４３Ｆと帯部４３Ｂとは、表面１０ａから裏面１０ｂにかけて、ほぼ一続きに繋がった状態の帯状となる。これにより全体的に統一感のあるデザインを有する包装体１０とすることができる。また、裏面１０ｂは、表面１０ａと同様に、同系色で異なる複数の着色域により構成されているため、ナプキン１であることがわかりにくく、目立ちにくい外観となっている。包装体１０を鞄に収納する際、包装体１０を、その裏面１０ｂが鞄の開封口側にくるように置いた場合においても、鞄をあけたときに、包装体１０を目立ちにくくすることができる。
このように、本実施形態の包装体１０は、表面１０ａ及び裏面１０ｂの双方で、一見してナプキン１であるとわかりにくい外観となっている。
【００３４】
表面１０ａ及び裏面１０ｂにおいて、上述したように、帯部４３にはナプキン１に関する情報を記載することができる。これにより、ナプキン１のサイズ、無香か賦香か、ウイングの有無といったナプキン１に関する情報を、個々の包装体１０を視認して確認することが可能となる。これにより、製品の種類を間違えるということが防止され、また、製品を開封せずともナプキンの機能を確認することができる。
【００３５】
包装体１０において、第１折り領域Ｒ１の縦方向Ｘにおける長さは、露出部４１の長さよりも長くしてもよい。
これにより、表面１０ａにおいて、露出部４１よりも第１折り領域Ｒ１の占める割合を大きくすることができる。第１折り領域Ｒ１における最も色濃度の薄い領域の割合は、露出部４１における最も色濃度の薄い領域の割合よりも大きいので、全体的により淡い色が多い包装体１０とすることができ、より柔らかい印象を与える包装体１０とすることができる。
【００３６】
［タブテープの構成］
タブテープＴは、所望の色味とすることができる。例えば、ピンク系の包装シート２に対して青色のタブテープＴとする等、異なる系統の色味にしてもよい。また、同系色でもよい。
タブテープＴの視認性を高める観点から、タブテープＴは、第１折り領域Ｒ１における色濃度が最も薄い領域よりも色濃度が濃いことが好ましく、特に、当該最も色濃度が薄い領域である帯部４３よりも色濃度が濃い色、換言すると、帯部４３よりもＬ＊値がより低い色とすることが好ましい。ここで、帯部４３の色濃度とは、帯部４３内で最も占める面積が大きい着色域の濃度をいう。本実施形態では、帯部４３において、最も色濃度が薄い第４着色域３４の占有面積が大きいので、タブテープＴは、最も色濃度が薄い第４着色域３４よりも色濃度が濃い色、すなわちＬ＊値がより低い色とすることが好ましい。
タブテープＴは、固定部Ｔ１と突出部Ｔ２とを有する。包装体１０を開封する際、指でつまむタブテープＴの位置を容易に視認できる観点から、少なくとも突出部Ｔ２のＬ＊値が、帯部４３のＬ＊値よりも低いことが好ましい。なお、突出部Ｔ２先端は、タブテープ構成部材の一端を折り返すことで構成すると、突出部Ｔ２が摘まみ易くなると共に、簡便にそのＬ＊値を帯部４３のＬ＊値より低くすることができるので好ましい。
例えば、タブテープＴの固定部Ｔ１におけるＬ＊値、すなわちタブテープと包装シートが積層された状態でのＬ＊値を、帯部４３の主な領域を占める最も色濃度が薄い第４着色域３４よりも１０以上低くすることができ、タブテープＴの視認性を高めることができる。
【００３７】
［補足説明］
以下、面積や寸法等、具体的な数値をあげて具体例をあげるが、これらはあくまで一例であり、これらに限定されない。
【００３８】
（第１折り領域及び露出部それぞれの色濃度が最も薄い領域の面積比率）
例えば第１折り領域Ｒ１において、第１折り領域Ｒ１の面積は７８ｃｍ２であり、色濃度が最も薄い領域である第４着色域３４の面積は２０ｃｍ２であり、第１折り領域Ｒ１における第４着色域３４の面積比率は２５％である。
露出部４１において、露出部４１の面積は３２ｃｍ２であり、色濃度が最も薄い領域である第４着色域３４はないため、その面積は０ｃｍ２であり、露出部４１における第４着色域３４の面積比率は０％である。
【００３９】
（帯部に係る寸法）
一見してナプキン１であるとわかりにくい外観とする観点から、帯部４３の横方向Ｙにおける寸法は、包装体１０の横方向Ｙにおける長さの７０〜１００％程度である。また、帯部４３の縦方向Ｘにおける寸法は、包装体１０の縦方向Ｘにおける長さの１５〜４０％程度である。
例えば、本実施形態では、包装体１０の縦方向Ｘの長さは８．５ｃｍ、帯部４３の縦方向Ｘの長さは２．４ｃｍである。また、帯部４３から一端２１までの縦方向Ｘに沿った距離は２．５ｃｍ、帯部４３から第１折り畳み部Ｌ１に対応する包装体１０の一端１１までの縦方向Ｘに沿った距離は１．６ｃｍである。
【００４０】
以上、本考案の実施形態について説明したが、本考案は上述の実施形態にのみ限定されるものではなく、本考案の要旨を逸脱しない範囲内において種々変更を加え得ることは勿論である。
図１〜３では、包装体１０が３本の折り畳み部によって縦方向Ｘに折り畳まれる例について説明したが、これに限定されない。
例えば、包装体が横方向Ｙに延びる２本の折り畳み部によって縦方向Ｘに折り畳まれてもよい。この場合、包装体には、包装シートの一端から他端に向かって第１折り畳み部及び第２折り畳み部が配置されるとする。
包装シート及び包装体は、一端から第１折り畳み部までの第１折り領域と、第１折り畳み部と第２折り畳み部との間の第３折り領域と、第２折り畳み部から他端までの第２折り領域と、を備える。
包装シート上にナプキンを配した積層体の状態から、第２折り畳み部を折り軸として、第３折り領域の上に第２折り領域が折り畳まれる。次に、第１折り領域が、第１折り畳み部を折り軸として、重なった第２折り領域及び第３折り領域の上にさらに折り重なるように折り畳まれる。これにより、ナプキンが縦方向Ｘに３つ折りされる。
このような形態においても、図１（Ａ）に示すように、包装体の表面には第１折り領域と第２折り領域の露出部が位置する。図１（Ｂ）に示すように、包装体の裏面には第３折り領域が位置する。
【００４１】
なお、図２の形態では、縦方向Ｘに関して、包装シート２の両端がナプキン１の両端よりも外側へ延出したものであったが、これに代えて、包装シート２のタブテープＴが配された側と縦方向Ｘに対向する側の端部がナプキン端部より内側に位置するものであっても良い。その場合は、第３折り畳み部Ｌ３より縦方向Ｘ外方では、ナプキン１と包装シート２とを備えた領域と、ナプキン１のみの領域が存在することが好ましい。
【００４２】
また、包装体１０は、上述の構成に限定されず、例えば包装シート２とナプキン１との間に剥離シートを備えていてもよい。
また、上述の実施形態では、平面視で、包装シート２内にナプキン１が位置する例をあげたが、ナプキンの一端が包装シートから突出していてもよい。
また、上述の実施形態では、帯部４３が横方向Ｙに平行に延びる幅が均一な形状を有する例をあげたが、これに限定されない。横方向Ｙに対して斜めとなるように帯部が設けられても良い。帯部４３は直線状に限られず湾曲した形状を有していてもよい。また、帯部４３の横方向Ｙの長さが、包装シートの横方向Ｙの長さよりも短くてもよく、帯部は、一方の側端２３側から他方の側端２３側に向かって延びる帯状を有すればよい。
また、以上の実施形態では、吸収性物品として生理用ナプキンの例を示したが、これに限定されない。本考案の吸収性物品は、例えば、尿取りパットやおりものシート等であってもよい。
【００４３】
また、一般に、複数の包装体は１つの内装パックに収納されている。内装パックに収納される複数の包装体の各包装シートは模様が異なっていてもよい。その場合、最も色濃度が薄い着色域を主体とする帯部、及び、該帯部に設けられるナプキンに関する情報を示す図柄や文字等については、いずれの包装体にも存在するように構成することが好ましい。これにより、着用者は、ナプキンに関する情報を把握するとともに、様々な模様によって気分転換を図ることができる。
【符号の説明】
【００４４】
１…ナプキン（吸収性物品）
２…包装シート
１０…包装体（吸収性物品の包装体）
２１…一端
２２…他端
３１…第１着色域
３２…第２着色域
３３…第３着色域
３４…第４着色域（最も色濃度が薄い着色域）
４１…露出部
４２…重なり部
Ｌ１…第１折り畳み部
Ｌ２…第２折り畳み部
Ｌ３…第３折り畳み部
Ｒ１…第１折り領域
Ｒ２…第２折り領域
Ｒ３…第３折り領域
【図１】
0003232205.tif 000003
【図２】
0003232205.tif 000004
【図３】
0003232205.tif 000005